(57)【要約】【課題】低コストで高効率運転が可能な貯湯式給湯機を提供すること。【解決手段】本発明の貯湯式給湯機は、貯湯タンク１の上部に配した第一の接続口（タンク上部高温水供給口２）と、第一の接続口よりも下に配した第二の接続口（追焚き熱源湯水戻り口７）とで貯湯タンク１に接続された追焚き熱源回路と、追焚き熱源回路上に設けられた追焚き熱交換器５および正逆循環ポンプ６と、追焚き熱源回路と出湯先とを接続する給湯配管（給湯高温水配管８）と、給湯配管内の湯水の温度を検出する第一の温度検出手段１０４と、制御部（制御装置１１０）とを備え、制御部は、第一の接続口から取り出した湯水を追焚き熱交換器５へ送水する場合には正逆循環ポンプ６を正方向に制御するとともに、第二の接続口から取り出した湯水を給湯配管へ送水する場合には、第一の温度検出手段１０４の検出結果に基づき、正逆循環ポンプ６を逆方向に制御する。【選択図】図１
2012047416.tif 000002
【特許請求の範囲】
【請求項１】
貯湯タンクと、
前記貯湯タンクの上部に配した第一の接続口と、前記第一の接続口よりも下に配した第二の接続口とで前記貯湯タンクに接続された追焚き熱源回路と、
前記追焚き熱源回路上に設けられ、浴槽湯水と熱交換を行う追焚き熱交換器と、
前記追焚き熱源回路上に設けられ、該追焚き熱源回路内の湯水を正方向または逆方向に選択的に送水可能な正逆循環ポンプと、
前記追焚き熱源回路と出湯先とを接続する給湯配管と、
前記給湯配管内の湯水の温度を検出する第一の温度検出手段と、
前記正逆循環ポンプを制御して前記追焚き熱源回路および前記給湯配管への送水を制御する制御部とを備え、
前記制御部は、前記第一の接続口から取り出した湯水を前記追焚き熱交換器へ送水する場合には前記正逆循環ポンプを正方向に制御するとともに、前記第二の接続口から取り出した湯水を前記給湯配管へ送水する場合には、前記第一の温度検出手段の検出結果に基づき、前記正逆循環ポンプを逆方向に制御することを特徴とする貯湯式給湯機。
【請求項２】
給湯または浴槽湯張りによる出湯を検出する出湯検出手段を備え、
前記制御部は、前記出湯検出手段にて出湯を検出した場合に、前記正逆循環ポンプを逆方向に制御することを特徴とする請求項１記載の貯湯式給湯機。
【請求項３】
前記貯湯タンクの前記第二の接続口と同じ高さかそれより低い高さの前記貯湯タンク内の湯水の温度を検出する第二の温度検出手段を備え、
前記制御部は、前記第二の温度検出手段の検出温度が所定の範囲内である場合に、前記正逆循環ポンプを逆方向に制御することを特徴とする請求項１または２に記載の貯湯式給湯機。
【請求項４】
前記制御部は、前記正逆循環ポンプを正方向に制御して行う追焚き動作が実行されていないことを条件に前記正逆循環ポンプを逆方向に制御して前記第二の接続口から湯水を取り出すとともに、前記第二の接続口から湯水を取り出しているときに前記追焚き動作の指示があった場合には、前記正逆循環ポンプの逆方向制御を中止して正方向制御を行うことを特徴とする請求項１乃至３の何れか１項記載の貯湯式給湯機。
【請求項５】
前記制御部は、前記正逆循環ポンプの逆方向の回転を開始する場合に、前記第一の温度検出手段の検出温度の所定時間当たりの変化が所定の範囲内となるように、前記正逆循環ポンプの回転数を制御することを特徴とする請求項１乃至４の何れか１項記載の貯湯式給湯機。
【請求項６】
前記制御部は、前記正逆循環ポンプを逆方向に制御しているときに前記正逆循環ポンプの回転数を変化させる場合には、前記第一の温度検出手段の検出温度の所定時間当たりの変化量が所定の範囲内となるよう回転数を制御することを特徴とする請求項１乃至５記載の貯湯式給湯機。
【請求項７】
前記制御部は、前記正逆循環ポンプを逆方向に制御しているときに、前記第一の温度検出手段の検出温度が給湯または浴槽湯張りの設定温度よりも高い場合には、前記正逆循環ポンプの回転数を増加させる制御を行い、前記第一の温度検出手段の検出温度が給湯または浴槽湯張りの設定温度よりも低い場合には、前記正逆循環ポンプの回転数を減少させる制御を行うことを特徴とする請求項１乃至６の何れか１項記載の貯湯式給湯機。
【発明の詳細な説明】
【技術分野】
【０００１】
本発明は、貯湯式給湯機に関する。
【背景技術】
【０００２】
ヒートポンプ式熱源機と、貯湯タンクとを備えた貯湯式給湯機が広く用いられている。貯湯タンクの沸き上げ時には、貯湯タンクの下部から取り出された低温水がヒートポンプ式熱源機に送られ、沸き上げられた高温水が貯湯タンクの上部に戻される。このようにして、貯湯タンク内は、満水状態に保たれたまま、上層から順に高温水が貯えられていく。給湯時には、貯湯タンクの上部から高温水が取り出されて混合弁に供給され、水源から供給される低温水と混合して温度調節された上で、風呂、台所などの出湯先に給湯される。
【０００３】
このような貯湯式給湯機において、浴槽の湯水を追焚き（保温を含む）するための追焚き熱交換器を備えたものがある。追焚き時には、貯湯タンクの上部から取り出した高温水と、浴槽から取り出した湯水とをこの追焚き熱交換器に送って熱交換させ、浴槽の湯水を加熱する。
【０００４】
追焚き時に、貯湯タンクの上部から取り出された高温水は、追焚き熱交換器を通過した後、貯湯タンクの下部に戻される。高温水は、追焚き熱交換器を通過する過程で熱を奪われ、低温水と高温水との中間的な温度の中温水となる。追焚きが行われると、貯湯タンク内の高温水の下方にこの中温水が溜まっていく。このため、貯湯タンクの沸き上げ時には、この中温水がヒートポンプ式熱源機に送られる。しかしながら、ヒートポンプは、入水温度が高いと、効率が低下するという特性がある。このため、貯湯タンク内に中温水が溜まった状態で沸き上げが行われると、エネルギー効率が低下するという問題がある。
【０００５】
従来、この問題を解決する方法として、貯湯タンクの中下部に中温水取出し口を設け、給湯時に、この中温水取出し口から中温水を取り出し、貯湯タンクの上部から取り出した高温水と混合して給湯することにより、貯湯タンク内の中温水を消費し、高効率運転の妨げとなるヒートポンプ式熱源機への中温水の給水を抑制する方法が提案されている（例えば、特許文献１参照）。
【先行技術文献】
【特許文献】
【０００６】
【特許文献１】特開２００３−２４０３４２号公報
【発明の概要】
【発明が解決しようとする課題】
【０００７】
しかしながら、上記公報に記載された技術では、貯湯タンクに中温水取り出し口を設けたり、中温水と高温水とを混合するための混合弁を追加したりするなど、中温水を利用するための専用の給湯回路を新たに設ける必要があり、高コストであった。
【０００８】
本発明は、上述のような課題を解決するためになされたもので、低コストで高効率運転が可能な貯湯式給湯機を提供することを目的とする。
【課題を解決するための手段】
【０００９】
本発明に係る貯湯式給湯機は、貯湯タンクと、貯湯タンクの上部に配した第一の接続口と、第一の接続口よりも下に配した第二の接続口とで貯湯タンクに接続された追焚き熱源回路と、追焚き熱源回路上に設けられ、浴槽湯水と熱交換を行う追焚き熱交換器と、追焚き熱源回路上に設けられ、該追焚き熱源回路内の湯水を正方向または逆方向に選択的に送水可能な正逆循環ポンプと、追焚き熱源回路と出湯先とを接続する給湯配管と、給湯配管内の湯水の温度を検出する第一の温度検出手段と、正逆循環ポンプを制御して追焚き熱源回路および給湯配管への送水を制御する制御部とを備え、制御部は、第一の接続口から取り出した湯水を追焚き熱交換器へ送水する場合には正逆循環ポンプを正方向に制御するとともに、第二の接続口から取り出した湯水を給湯配管へ送水する場合には、第一の温度検出手段の検出結果に基づき、正逆循環ポンプを逆方向に制御するものである。
【発明の効果】
【００１０】
本発明によれば、中温水取り出し専用回路を設けることなしに貯湯タンク内の中温水を給湯時に利用することができ、貯湯タンク内に中温水が溜まることを抑制することができる。このため、低コストで、ヒートポンプ式熱源機への中温水の流入による効率低下を抑制することができ、高効率運転が可能となる。
【図面の簡単な説明】
【００１１】
【図１】本発明の貯湯式給湯機の実施の形態１を示す構成図である。
【図２】制御装置が正逆循環ポンプを逆方向に制御する場合の処理を示すフローチャートである。
【発明を実施するための形態】
【００１２】
実施の形態１．
図１は、本発明の貯湯式給湯機の実施の形態１を示す構成図である。図１に示すように、本実施形態の貯湯式給湯機は、貯湯タンク１と、貯湯タンク１から取り出された水を高温に沸き上げる沸き上げ手段としてのヒートポンプ式熱源機３１０とを有している。ヒートポンプ式熱源機３１０の内部には、圧縮機、水−冷媒熱交換器、膨張弁、空気熱交換器およびアキュームレータが冷媒配管により順次接続されて構成されたヒートポンプ回路が備えられている。
【００１３】
沸き上げ循環回路は、貯湯タンク１の下部に設けられたタンク下部沸き上げ接続口１３と、このタンク下部沸き上げ接続口１３とヒートポンプ式熱源機３１０とを接続する往き管１４と、往き管１４の途中に設置された熱源機循環ポンプ３１と、貯湯タンク１の上部に設けられたタンク上部沸き上げ接続口１２とヒートポンプ式熱源機３１０とを接続する戻り管１５とを有している。
【００１４】
貯湯タンク１内は、上層側に高温水が、下層側に低温水が、積層状態でそれぞれ貯留され、常に満水に保たれる。ヒートポンプ式熱源機３１０による加熱動作（沸き上げ動作）を行う場合には、熱源機循環ポンプ３１を作動することにより、貯湯タンク１の下部から取り出された低温水が往き管１４を通ってヒートポンプ式熱源機３１０内に送られる。この水はヒートポンプ式熱源機３１０内で沸き上げられて高温水となり、戻り管１５を通って貯湯タンク１の上部に戻される。この沸き上げ動作により、貯湯タンク１内には、上部から下部へ向かって高温水が蓄積されていく。
【００１５】
追焚き熱源循環回路は、貯湯タンク１の上部に設けられたタンク上部高温水供給口２（第一の接続口）と、このタンク上部高温水供給口２に接続された高温水配管３と、高温水配管３と追焚き熱交換器５とを接続する追焚き高温水配管４と、貯湯タンク１の高さ方向についてタンク上部高温水供給口２よりも低い位置に設けられた追焚き熱源湯水戻り口７（第二の接続口）と、追焚き熱交換器５と追焚き熱源湯水戻り口７とを接続する追焚き熱源湯水戻り管１６と、追焚き熱源湯水戻り管１６の途中に設置された正逆循環ポンプ６とを有している。
【００１６】
風呂循環回路は、浴槽２１０と追焚き熱交換器５とを接続する浴槽配管２２と、浴槽配管２２の途中に設置された風呂循環ポンプ２１と、追焚き熱交換器５と浴槽２１０とを接続する浴槽配管２３とを有している。浴槽２１０の湯水を追焚き（保温を含む）する追焚き動作を行う場合には、風呂循環ポンプ２１が駆動される。風呂循環ポンプ２１の駆動により、浴槽２１０の湯水は、浴槽配管２２、追焚き熱交換器５、浴槽配管２３を順次通過して浴槽２１０に戻るように循環する。
【００１７】
湯張り出湯回路は、高温水配管３および追焚き高温水配管４に接続された給湯高温水配管８（給湯配管）と、湯張り混合弁９とを有している。湯張り混合弁９には、給湯高温水配管８と、水源からの水を供給する水配管１１とが接続されている。湯張り混合弁９の混合水出湯口は、出湯配管１７を介して、浴槽配管２３に接続されている。出湯配管１７には、流量検出手段１０２が設けられている。
【００１８】
浴槽２１０の湯張り時には、タンク上部高温水供給口２から取り出された高温水が高温水配管３および給湯高温水配管８を通って湯張り混合弁９に送られ、水配管１１から供給される低温水と混合することにより、温度調節される。この温度調節された混合水が、出湯配管１７および浴槽配管２２，２３を通って、浴槽２１０に導入される。タンク上部高温水供給口２から高温水が取り出されると、貯湯タンク１の下部に接続された水配管１１から低温水がその分だけ貯湯タンク１内に流入する。
【００１９】
給湯回路は、給湯高温水配管８と水配管１１とが接続された給湯混合弁１０を有している。給湯混合弁１０の混合水出湯口には、出湯配管１８が接続されている。この出湯配管１８は、風呂のシャワー、台所や洗面所の蛇口などの出湯端末に接続されている。出湯配管１８には、流量検出手段１０１が設けられている。
【００２０】
上記出湯端末からの出湯時には、タンク上部高温水供給口２から取り出された高温水が高温水配管３および給湯高温水配管８を通って給湯混合弁１０に送られ、水配管１１から供給される低温水と混合することにより、温度調節される。この温度調節された混合水が、出湯配管１８を通って、出湯端末に供給される。
【００２１】
正逆循環ポンプ６は、正逆両方向に選択的に送水可能に構成されている。正逆循環ポンプ６を正方向に駆動した場合には、タンク上部高温水供給口２から取り出された湯水が、高温水配管３、追焚き高温水配管４、追焚き熱交換器５、追焚き熱源湯水戻り管１６の順に送られ、追焚き熱源湯水戻り口７から貯湯タンク１内に戻る。すなわち、図１中の矢印Ａ方向に送水される。
【００２２】
追焚き動作時には、正逆循環ポンプ６が正方向に駆動される。これにより、タンク上部高温水供給口２から取り出された高温水が追焚き熱交換器５に送られ、追焚き熱交換器５に循環している浴槽２１０の湯水と熱交換を行う。この熱交換により、追焚き熱交換器５に送られた高温水は熱を奪われて温度が低下し、中温水となって貯湯タンク１内に戻る。このため、追焚き動作が行われると、貯湯タンク１内には、図１に示すように、上層の高温水と下層の低温水との間に中温水が溜まっていく。
【００２３】
正逆循環ポンプ６を逆方向に駆動した場合には、追焚き熱源湯水戻り口７から取り出された湯水が、追焚き熱源湯水戻り管１６、追焚き熱交換器５、追焚き高温水配管４の順に送られる。すなわち、図１中の矢印Ｂ方向に送水される。
【００２４】
本実施形態では、出湯端末への給湯または浴槽２１０の湯張りを行うために給湯高温水配管８に高温水が供給される際に、正逆循環ポンプ６を逆方向に駆動する。これにより、追焚き熱源湯水戻り口７から取り出した中温水を給湯高温水配管８の高温水に混合することができる。本実施形態では、このようにして貯湯タンク１内の中温水を取り出して利用（消費）することにより、貯湯タンク１内に中温水が多く溜まることを抑制することができる。このため、沸き上げ運転時にヒートポンプ式熱源機３１０へ中温水が給水されることによる効率低下を抑制することができる。
【００２５】
給湯高温水配管８には、給湯高温水配管８内の湯水の温度を検出する温度検出手段１０４（第一の温度検出手段）が設けられている。また、貯湯タンク１の表面の、追焚き熱源湯水戻り口７と同じ高さの位置には、貯湯タンク１内の湯水の温度を検出する温度検出手段１０３（第二の温度検出手段）が設けられている。更に、水配管１１には、貯湯タンク１に供給される低温水の温度を検出する温度検出手段１０５が設けられている。温度検出手段１０３によれば、追焚き熱源湯水戻り口７から取り出す湯水の温度を検出することができる。温度検出手段１０３は、追焚き熱源湯水戻り口７より低い位置に設けられていてもよい。
【００２６】
本実施形態の貯湯式給湯機は、更に、制御装置１１０（制御部）と、給湯温度設定手段１１１を有している。給湯温度設定手段１１１は、例えば、浴室や台所の壁に設置されるリモコン装置で構成される。使用者は、給湯温度設定手段１１１を操作することにより、出湯端末への給湯温度または浴槽２１０の湯張り温度を所望の温度に設定することができる。制御装置１１０は、流量検出手段１０１、１０２および温度検出手段１０３，１０４，１０５の検出値や、給湯温度設定手段１１１に設定されている給湯または湯張りの設定温度などに基づいて、正逆循環ポンプ６の作動を制御する。
【００２７】
図２は、制御装置１１０が正逆循環ポンプ６を逆方向に制御する場合の処理を示すフローチャートである。ステップＳ１２０では、流量検出手段１０１，１０２により流量が検出され、続くステップＳ１２１では、流量検出手段１０１または１０２により検出された流量が０より大きいか否かが判断される。この判断は、給湯または湯張りによる出湯の有無を検出することに相当している。ステップＳ１２１にて、給湯または湯張りによる出湯がない（流量が０である）と判別された場合には、ステップＳ１２９へ移行する。
【００２８】
ステップＳ１２９では、正逆循環ポンプ６が逆方向に駆動中であるか否かが判断される。正逆循環ポンプ６が逆方向駆動中であった場合には、ステップＳ１３０にて正逆循環ポンプ６の逆方向駆動が停止された後、ステップＳ１２０へ移行する。正逆循環ポンプ６が逆方向駆動中でなかった場合には、そのままステップＳ１２０へ移行する。このような制御によれば、給湯または湯張りによる出湯が行われていない場合には、正逆循環ポンプ６の逆方向駆動を行わない、あるいは正逆循環ポンプ６の逆方向駆動を停止することができる。
【００２９】
一方、ステップＳ１２１にて、給湯または湯張りによる出湯がある（流量が０より大きい）と判別された場合には、ステップＳ１２２へ移行する。ステップＳ１２２では、追焚き動作（自動的な浴槽保温を含む）が実行中であるか否かが判別される。追焚き動作が実行中である場合には、ステップＳ１２９へ移行する。これにより、正逆循環ポンプ６の逆方向駆動が実行中であった場合には、ステップＳ１３０にてその逆方向駆動が停止される。その後、制御装置１１０は、追焚き動作を実行するため、正逆循環ポンプ６を正方向に制御する。このように、本実施形態では、追焚き動作が実行される場合には、正逆循環ポンプ６の逆方向駆動を停止（中止）し、追焚き動作を優先して実行する。
【００３０】
これに対し、上記ステップ１２２にて、追焚き動作が実行中でないと判別された場合は、ステップＳ１２３へ移行する。ステップＳ１２３では、温度検出手段１０３の検出温度が所定の温度範囲内であるか否かが判断される。この所定の温度範囲は、中温水であるかどうかを判断するための温度範囲であり、例えば、温度検出手段１０５の検出温度（貯湯タンク１への給水温度）より高く、給湯温度設定手段１１１の設定温度以下の範囲とすることができる。
【００３１】
ステップＳ１２３で温度検出手段１０３の検出温度が所定の温度範囲内ではないと判断された場合は、ステップＳ１２９へ移行する。このような制御によれば、追焚き熱源湯水戻り口７の位置での貯湯タンク１内の湯水が中温水でない場合（低温水または高温水である場合）には、正逆循環ポンプ６の逆方向駆動を行わない、あるいは正逆循環ポンプ６の逆方向駆動を停止することができる。
【００３２】
一方、ステップＳ１２３で温度検出手段１０３の検出温度が所定の温度範囲内であると判断された場合は、追焚き熱源湯水戻り口７の位置での貯湯タンク１内の湯水は中温水であるので、中温水を利用可能である。この場合には、まず、ステップＳ１２４にて正逆循環ポンプ６が逆方向駆動中であるか否かが判別される。正逆循環ポンプ６が逆方向駆動していない場合は、ステップＳ１２５へ移行し、正逆循環ポンプ６の逆方向駆動が開始された上で、再びステップＳ１２４へ戻る。
【００３３】
正逆循環ポンプ６の逆方向駆動が開始されると、追焚き熱源湯水戻り口７から取り出された中温水が、追焚き熱源湯水戻り管１６、追焚き熱交換器５、追焚き高温水配管４を通って、給湯高温水配管８に流入する。このため、給湯高温水配管８には、タンク上部高温水供給口２から取り出された高温水と、追焚き熱源湯水戻り口７から取り出された中温水とが混合した湯水が流れ、この混合湯水が湯張り混合弁９または給湯混合弁１０に供給される。
【００３４】
正逆循環ポンプ６を逆方向に駆動する場合、その回転数が高いほど、給湯高温水配管８の高温水に対する中温水の混合量が多くなるので、給湯高温水配管８から湯張り混合弁９または給湯混合弁１０に供給される湯水の温度が低下する。正逆循環ポンプ６の逆方向駆動を開始する場合、その回転数が高すぎると、給湯高温水配管８から湯張り混合弁９または給湯混合弁１０に供給される湯水の温度が低くなりすぎて、湯張り混合弁９または給湯混合弁１０からの出湯温度が、給湯温度設定手段１１１の設定温度から乖離する可能性がある。このため、正逆循環ポンプ６の逆方向駆動を開始する際には、湯張り混合弁９または給湯混合弁１０からの出湯温度が、給湯温度設定手段１１１の設定温度から乖離することを抑制するために、図１中のＢ方向の流量が小流量になる回転数で駆動を開始し、給湯高温水配管８を流れる湯水の急激な温度変化を抑えることが望ましい。
【００３５】
具体的には、正逆循環ポンプ６の逆方向駆動を開始する際に、温度検出手段１０４の検出温度の所定時間当たりの変化が所定の範囲内となるように、正逆循環ポンプ６の回転数を制御することが望ましい。例えば、正逆循環ポンプ６の逆方向駆動開始前の温度検出手段１０４の検出温度と、逆方向駆動開始後の温度検出手段１０４の検出温度との差が１℃以内となるように、正逆循環ポンプ６の回転数を制御することが望ましい。
【００３６】
ステップＳ１２４で正逆循環ポンプ６の逆方向駆動が行われていると判断された場合には、ステップＳ１２６へ移行する。ステップＳ１２６では、温度検出手段１０４の検出温度が、給湯温度設定手段１１１の設定温度よりも高いかどうかが判断される。温度検出手段１０４の検出温度が、給湯温度設定手段１１１の設定温度よりも高いと判断された場合には、ステップＳ１２８にて正逆循環ポンプ６の回転数を増加させる。この制御によれば、正逆循環ポンプ６の逆方向駆動開始からの時間経過につれて、給湯高温水配管８の高温水に対する中温水の混合量を増加させることが可能となり、中温水の利用を促進することができる。
【００３７】
上記ステップＳ１２８では、温度検出手段１０４の検出温度の所定時間当たりの変化量が所定の範囲内（例えば、１℃／秒以内）となるように、正逆循環ポンプ６の回転数の増加を制御することが望ましい。これにより、給湯高温水配管８を流れる湯水の急激な温度変化が抑制されるので、湯張り混合弁９または給湯混合弁１０からの出湯温度が、給湯温度設定手段１１１の設定温度から乖離することを確実に防止することができる。
【００３８】
一方、上記ステップＳ１２６にて、温度検出手段１０４の検出温度が、給湯温度設定手段１１１の設定温度以下であると判断された場合には、ステップＳ１２７にて正逆循環ポンプ６の回転数を減少させる。この制御によれば、給湯高温水配管８の湯水の温度が給湯温度設定手段１１１の設定温度以下の場合に、給湯高温水配管８の高温水に対する中温水の混合量を減少させることにより、湯張り混合弁９または給湯混合弁１０からの出湯温度が給湯温度設定手段１１１の設定温度を下回ることを防止することが可能となる。
【００３９】
上記ステップＳ１２７では、温度検出手段１０４の検出温度の所定時間当たりの変化量が所定の範囲内（例えば、２℃／秒以内）となるように、正逆循環ポンプ６の回転数の減少を制御することが望ましい。これにより、給湯高温水配管８を流れる湯水の急激な温度変化が抑制されるので、湯張り混合弁９または給湯混合弁１０からの出湯温度が、給湯温度設定手段１１１の設定温度から乖離することを確実に防止することができる。
【００４０】
上記一連の制御手順によれば、給湯または湯張りの出湯が検出されていること、追焚き動作が実行中でないこと、および、貯湯タンク１内に中温水が存在することを条件として、正逆循環ポンプ６の逆方向駆動が開始される。これにより、湯張り混合弁９や給湯混合弁１０へ供給される高温水に貯湯タンク１内の中温水を混合することができ、中温水を利用した給湯や湯張りの出湯が可能となる。また、温度検出手段１０４の検出温度に基づいて正逆循環ポンプ６の逆方向駆動の回転数を制御することにより、湯張り混合弁９または給湯混合弁１０から出湯温度が設定温度から乖離することを防止しつつ、なるべく多くの中温水を混合することができる。このため、貯湯タンク１内の中温水の利用を促進することができるので、沸き上げ運転時にヒートポンプ式熱源機３１０へ中温水が給水されることを確実に抑制することができる。よって、ヒートポンプ式熱源機３１０へ中温水が給水されることによる効率低下を確実に抑制することができ、高効率運転が可能となり、省エネルギー性を高めることができる。
【００４１】
また、上述した本実施形態のシステム構成によれば、追焚き熱源循環回路を利用して貯湯タンク１内の中温水を取り出し、給湯および湯張りに供する動作が可能となる。このため、中温水を取り出して給湯および湯張りに利用するための専用の配管や混合弁などを備えた中温水処理用の回路を新たに設ける必要がなく、低コストで実現可能である。
【００４２】
更に、上述した本実施形態のシステム構成によれば、正逆循環ポンプ６の逆方向の回転数を調節することにより、中温水の混合量を正確に制御することができる。このため、給湯高温水配管８から湯張り混合弁９または給湯混合弁１０に供給される湯水の急激な温度変化を確実に防止することが可能となる。その結果、湯張り混合弁９または給湯混合弁１０からの出湯温度が、給湯温度設定手段１１１の設定温度から乖離することを確実に抑制することができる。
【符号の説明】
【００４３】
１              貯湯タンク
２              タンク上部高温水供給口
３              高温水配管
４              追焚き高温水配管
５              追焚き熱交換器
６              正逆循環ポンプ
７              追焚き熱源湯水戻り口
８              給湯高温水配管
９              湯張り混合弁
１０            給湯混合弁
１１            水配管
２１            風呂循環ポンプ
３１            熱源機循環ポンプ
１０１，１０２  流量検出手段
１０３，１０４，１０５  温度検出手段
１１０          制御装置
１１１          給湯温度設定手段
２１０          浴槽
３１０          ヒートポンプ式熱源機
【図１】
2012047416.tif 000003
【図２】
2012047416.tif 000004